(57)【特許請求の範囲】
【請求項１】
一対の基板の間に液晶層を封入することにより構成される液晶セルを備え、前記液晶層がベンド配列である液晶表示装置において、
少なくとも、二軸性の位相補償板と、液晶層と、二軸性の位相補償板と、一軸性の波長依存補償板とを順次に備えることを特徴とする液晶表示装置。
【請求項２】
前記位相補償板が負の複屈折性の位相補償板であることを特徴とする請求項１記載の液晶表示装置。
【請求項３】
前記位相補償板がハイブリッド配列をした負の複屈折性の位相補償板であることを特徴とする請求項１記載の液晶表示装置。
【請求項４】
前記波長依存補償板が波長の増加に対してリタデーションが減少する特性を有することを特徴とする請求項１記載の液晶表示装置。
【請求項５】
前記波長依存補償板がポリカーボネートであることを特徴とする請求項４記載の液晶表示装置。
【請求項６】
前記波長依存補償板が波長の増加に対してリタデーションが増加する特性を有することを特徴とする請求項１記載の液晶表示装置。
【請求項７】
前記波長依存補償板がトリアセチルセルロースであることを特徴とする請求項６記載の液晶表示装置。
【発明の詳細な説明】
【技術分野】
【０００１】
本発明は、液晶表示装置に関し、特にコントラスト比が改善されたＯＣＢモードの液晶表示装置に関する。
【背景技術】
【０００２】
液晶表示装置は、薄型であり表示情報の大容量化が比較的容易であるため、ＣＲＴなどの表示装置に置き換わり急速に普及しつつある。
【０００３】
液晶の動作モードとしては、基板間で液晶分子の分子軸の方向（以下、ダイレクタと呼ぶ）を上下基板間で約９０度回転させて液晶分子をツイスト配向させ、基板に対して垂直方向の電界により、ダイレクタを垂直方向に回転させて表示を行うツイステッドネマティックモード（以下、ＴＮモードと呼ぶ）が従来主に用いられてきた。
【０００４】
しかしながら、このＴＮモードは、視野角が狭いという問題点がある。そのため、斜め方向から表示を視認出来ない他、大容量表示が進み画面面積が大きくなると、斜め方向のある視点から画面を見た場合に、画面中央と画面端で見え方が異なり正しい表示が不可能になる。
【０００５】
ＴＮモードに位相補償板を加え視野角を拡大する技術が特開平６−７５１１６号公報などに開示されているが、ＴＮモード特有のねじれ構造を完全に補償することが難しく、根本的な解決には至っていない。
【０００６】
そこで、視野角を改善するための手段として液晶層にねじれ構造を有しないベンド配列セルやパラレル配列セルに位相補償板を組み合わせた方式が注目されている。ベンド配列セルに位相補償板を組み合わせた方式は、ＯＣＢモード（Ｏｐｔｉｃａｌｌｙ  Ｃｏｍｐｅｎｓａｔｅｄ  Ｂｅｎｄ  Ｍｏｄｅ）とよばれ、その応答速度の速さから特に注目されている。以下にＯＣＢモードについて説明する。
【０００７】
図５はネマテイック液晶における基本的なダイレクタ配列を示す模式図であり、（ａ）はスプレイ配列、（ｂ）はツイスト配列、（ｃ）はベンド配列と呼ばれるものである。ベンド配列したセルは、図５（ｃ）に示すように液晶分子が基板間中央部で立ち上がり、基板に近づくにつれ液晶分子が基板に平行な配向となるような、基板間の中央面から面対称な配向をしているものである。
【０００８】
ＯＣＢモードは、２枚の基板間にベンド配列に配向した液晶層を設け、液晶層の位相を補償する位相補償板を設けた構造となっている。
【０００９】
このベンド配列液晶層に対する位相補償板には、特開平６−２９４９６２号公報で開示されている負の複屈折性を有する位相補償板を用いるもの、ＳＩＤ’９４  ＤｉｇｅｓｔでＫｕｏらが開示している２軸性の位相補償板を用いるもの、特開平１０−１９７８６２号公報で開示されているハイブリッド配列をした負の複屈折性を有する位相補償板を上下２枚用いるもの等がある。
【００１０】
従来例としてハイブリッド配列をした負の複屈折性を有する位相補償板を上下２枚用いた場合を図４を参照して説明する。
【００１１】
図４はハイブリッド配列をした負の複屈折性を有する位相補償板を上下２枚用いたＯＣＢモードの構成を示す断面図である。
【００１２】
一方の基板１上には、赤・緑・青のカラーフィルター９Ｒ・９Ｇ・９Ｂが形成され、その上層にはオーバーコート１３が形成され、共通電極１０が形成され、画素電極（表示していない）の上層には液晶配向層１５が形成されている。
【００１３】
もう一方の基板２上には、それぞれの画素に選択的に電圧を印加するための画素電極７Ｒ・７Ｇ・７Ｂが形成され、その上層には液晶配向層１６が形成されている。
【００１４】
それぞれの液晶配向層１５，１８が向かい合うように基板１，２同士が組み合わされ、基板１，２間には、液晶層３が形成されている。基板の外側にはハイブリッド配列をした負の複屈折性を有する位相補償板４，５がそれぞれ形成され、位相補償板４、５の外側には偏光板１１，１２が形成された構成となっている。
【００１５】
従来のＯＣＢモードの液晶層、位相補償板及び偏光板の軸方向を示す平面図を図３に示す。
【００１６】
図７の黒表示状態の液晶層と位相補償板の複屈折性を模式的に示した断面図のように、液晶の異常光軸ｎｅと位相補償板中の複屈折性の異常光軸ｎｅが同じ方向を向くように、図３では液晶の配向方向１０１，１０２と位相補償板中の複屈折性の傾斜方向２０１，２０２は同一としてある。
【００１７】
偏光板の偏光軸は、光の透過率が大きくなるように、一方の偏光板の偏光軸は液晶配向方向と４５°の角度をなす方向（図３の３０１液晶配向方向と４５°の偏光板の偏光軸方向を参照）に設置され、もう一方はそれと直交する方向（図３の３０２偏光板の偏光軸方向を参照）に設置されている。
【００１８】
次に上記の従来のＯＣＢモードの位相補償の方法について図７の黒表示状態の液晶層と位相補償板の複屈折性を示す模式的断面図を参照して説明する。ＬＣ１からＬＣ５は液晶層を１０分割したそれぞれの層での複屈折率楕円体を示し、ＲＦ１からＲＦ５は位相補償板１枚を５分割したそれぞれの層の複屈折率楕円体を示す。ここでは簡略化のために各層の厚さは同一とした。
【００１９】
ハイブリッド配列をした負の複屈折性は黒表示時の液晶層の複屈折性と対応するようになっている。液晶層の複屈折性ＬＣ１は位相補償板の複屈折性ＲＦ１と、ＬＣ２はＲＦ２とＬＣ３はＲＦ３とＬＣ４はＲＦ４とそしてＬＣ５はＲＦ５と対応し互いに補償するようになっている。
【００２０】
例えばＬＣ５とＲＦ５を正面から観察した場合、図８（１）の様にＬＣ５はｘ方向の屈折率が大きく、ＲＦ５はｙ方向の屈折率が大きくなっており、両者の複屈折率と厚さからリタデーションＲは式（１）で表すことができるが、合わせるｘ方向とｙ方向の屈折率が等しくなってリタデーションは０となる。ＬＣ５とＲＦ５をラビング方向に沿って斜め方向から見た場合は、図８（２）に示すように、ＬＣ５のｘ方向屈折率が正面から観察した場合に比べ小さくなっているのに対し、ＲＦ５のｘ方向屈折率は大きくなり、２つを合わせたリタデーションは０に近くなる。このようにＬＣ２とＲＦ２、ＬＣ３とＲＦ３、ＬＣ４とＲＦ４、ＬＣ５とＲＦ５も互いに補償し合う。よって、ＯＣＢモードの液晶表示装置は斜め方向から観察しても全体のリタデーションＲが０に近く、黒を表示できることとなり、広い視野角が得られる。
【００２１】
【数１】
0003716267.tif 000002
【００２２】
ただし、ｎｌｃｘは観察点から見た液晶層のｘ方向屈折率、ｎｌｃｙは観察点から見た液晶層のｙ方向屈折率、ｎｒｆｘは観察点から見た位相補償板のｘ方向屈折率、ｎｒｆｙは観察点から見た位相補償板のｙ方向屈折率、ｄｌｃは液晶層の厚さ、ｄｒｆは位相補償板の厚さであり、また、ＲｌｃとＲｒｆはそれぞれ液晶層と位相補償板のリタデーションであり、Ｒｌｃ＝（ｎｌｃｘ−ｎｌｃｙ）・ｄｌｃ、Ｒｒｆ＝（ｎｒｆｘ−ｎｒｆｙ）・ｄｒｆである。
【００２３】
次にＯＣＢの電気光学特性を実際のセルパラメータを含め詳しく述べる。例えば上記の特開平１０―１９７８６２号公報に開示されているように、セル中の液晶材の複屈折率Δｎとセルの厚さｄの積を７９０ｎｍ〜１１９０ｎｍとする。この値は液晶分子がすべて基板に平行となっている場合のものであり、ベンド状態となると中央部の液晶分子が立ち上がっているため、液晶部のリタデーションＲｌｃ（式（１）参照）はこの値の３分の１から２分の１程度となる。位相補償板のリタデーションＲｒｆの値は現状市販されているハイブリット配列の負複屈折性位相補償板のリタデーションの値を参考にすると正面から見て１枚あたり約２０から５０ｎｍである。ただし、これは位相補償板単体での値である。位相補償板の複屈折率長軸は図６、図７に示したように液晶の複屈折率長軸と直交するので、上記の式（１）に示すように液晶層をプラスとすると位相補償板のリタデーションはマイナスに作用する。よって白を表示する場合のＯＣＢモード液晶表示装置全体のリタデーションＲは約２５０ｎｍから３００ｎｍとなる。
【００２４】
複屈折性を用いる液晶表示装置の場合、透過光強度Ｉは下記式（２）で表される。
【００２５】
【数２】
0003716267.tif 000003
【００２６】
ただし、Ａは比例定数、θは偏光板の偏光軸と液晶分子の分子軸方向のなす角、
Ｒは全体のリタデーション、λは光の波長である。
【００２７】
液晶層に印加する電圧を大きくし液晶層のリタデーションを小さくしていくと全体のリタデーションも小さくなりやがて０となって黒表示となる。
【００２８】
しかしながら上記従来のＯＣＢでは、特にカラー表示を行う場合に不具合が生じる。
【００２９】
ＯＣＢの場合、先に述べたように液晶層と位相補償板を合わせたリタデーションが０ないしは、目的波長の倍数の場合、黒表示となる。しかし、従来のＯＣＢでは黒表示時の輝度が高く、コントラスト比が小さくなってしまう。この現象は以下のような理由によっている。
【００３０】
液晶層および位相補償板のリタデーションは波長によって一定ではなく、波長依存特性を持つ。例えば、表１に示すような特性を持つ液晶材とセル作製条件を用いてベンド配列セルを作製した場合、印加電圧によるリタデーションの波長依存特性を図９に示す。これに対しハイブリット配列負複屈折性位相補償板（１枚）は図１０のようなリタデーション波長依存特性を示す。この位相補償板を２枚使用するので、ＯＣＢ全体のリタデーションは図１１となる。
【００３１】
【表１】
0003716267.tif 000004
【００３２】
（表中、ｋ１１は液晶のスプレイ粘弾性係数、ｋ２２はツイスト粘弾性係数、ｋ３３はベンド粘弾性係数を示す。）
この場合、７Ｖで輝度が最小となり黒表示となるが、このときの輝度はＴＮに同様のハイブリット配列負複屈折性位相補償板を組み合わせた液晶表示装置に比べ約１．５倍となりコントラスト比が低くなる。これは、４００ｎｍ〜５００ｎｍの波長帯および６００ｎｍ〜８００ｎｍの波長帯のリタデーションが大きく、光が漏れているためである。
【００３３】
ＴＮに同様のハイブリット配列負複屈折性位相補償板を組み合わせた液晶表示装置の場合はこのような現象は生じない。
【００３４】
図１２は、ＴＮモードの場合の黒表示状態の液晶層と位相補償板の複屈折性を示す模式図であり、図１３は、ＴＮモードの場合の液晶層、位相補償板及び偏光板の軸方向を示す平面図である。また図１４は、ＴＮモードの正面から観察した場合の複屈折性の模式図であり、図中符号５０１，５０２は、偏光板の透過軸、符号ＲＦは位相補償板複屈折率楕円体、ＬＣは液晶層の複屈折率楕円体を示す。
【００３５】
ＴＮモードでは、光が入射した場合、入射側の位相補償板の複屈折の主軸が偏光板の偏光軸と一致しているため、補償板の複屈折の影響を受けずに全波長帯の光が通過する。つまり、偏光板の偏光軸方向の直線偏光光がそのままＴＮセルに到達する。ＴＮに充分な高電圧を印加し液晶を立ち上がらせておけば、液晶層中も光は位相差を生じずに出射側の位相補償板に到達する。出射側の位相補償板の複屈折軸は入射側の偏光軸と直交しているため、出射側の位相補償板でも複屈折の影響を受けずに光が通過する。よって、光は、波長をとわず直線偏光のまま出射側の偏光板まで到達し、黒を表示できる。
【００３６】
図１５はＯＣＢモードの複屈折性の模式図である。図中符号で図１４と同じものは図１４と同じものを指すものとする。ＯＣＢモードでは図１５に示すように、入射側の偏光板の偏光軸と位相補償板の複屈折軸が角度（この例の場合４５度）をもっているので、何れの表示の際にも複屈折の影響を受け、複屈折の波長依存性が表示に関わってくる。これはハイブリッド配向をした負の複屈折率をもつ位相補償板を用いた場合に限らず、負の複屈折性を有する位相補償板を用いるもの、二軸性の位相補償板を用いるものでも共通の問題である。
【００３７】
なお、参考例としてパラレル配列セルに位相補償板を組み合わせた方式の液晶層と位相補償板の複屈折性を示す模式図を図１６に示す。
【発明の開示】
【発明が解決しようとする課題】
【００３８】
本発明の目的は上記の従来のＯＣＢモードの液晶表示装置の問題点を解決した液晶表示装置を提供することにある。
【課題を解決するための手段】
【００３９】
本発明の液晶表示装置は、一対の基板の間に液晶層を封入することにより構成される液晶セルを備え、前記液晶層がベンド配列である液晶表示装置において、
前記液晶層を挟む一対の二軸性の位相補償板と、前記一対の基板の何れか一方に形成され、前記液晶セル及び位相補償板の波長依存性を補償する一軸性の波長依存補償板とを備えることを特徴とする。
【発明の効果】
【００４１】
本発明においては、前記波長依存補償板として波長の増加に対してリタデーションが増加するまたは減少する特性を有するものを使用することにより、液晶表示装置のリタデーションの波長に対する変化を小さくし、液晶層や位相補償板の波長依存性によって生じる黒表示時の輝度上昇を抑制することができ、液晶表示装置のコントラスト比をあげることができる。
【発明を実施するための最良の形態】
【００４２】
次に、本発明の実施の形態について図面を参照して詳細に説明する。
【００４３】
図１は本発明の実施の形態の液晶表示装置の構成を示す断面図である。一方の基板１上には、赤，緑，青のカラーフィルター（それぞれ符号９Ｒ，９Ｇ，９Ｂで示す）が形成され、その上層にはオーバーコート１３，共通電極１０が順次形成されており、共通電極１０の上層には液晶配向層１５が形成されている。
【００４４】
もう一方の基板２上には、それぞれの画素に選択的に電圧を印加するための画素電極が形成され、その上層には液晶配向層１６が形成されている。符号７Ｇ，７Ｇ，７Ｂはそれぞれ赤色用画素電極、緑色用画素電極、青色用画素電極を示す。
【００４５】
それぞれの液晶配向層１５，１６が向かい合うように基板１，２同士が組み合わされ、それらの基板間には、液晶層３が形成されている。基板の外側にはハイブリッド配列をした負の複屈折性を有する二軸性の位相補償板４，５がそれぞれ形成され、さらに位相補償板４の外側には一軸性の位相差板からなる波長依存補償板１５０が形成され、位相補償板５と波長依存補償板１５０の外側には偏光板１１，１２が形成された構成となっている。画素電極７Ｒ，７Ｇ，７Ｂには選択的に電圧が印加できるようにスイッチング素子が接続されてもよい。
【００４６】
以下に図１を参照して本発明の液晶表示装置の製造方法について詳細に説明する。なお、ＯＣＢモードの液晶表示装置の作製条件は上記の表１によった。
【００４７】
まず、基板１上に３回のフォトリソグラフィー工程によりポリイミドベースの感光性ポリマーで赤・緑・青の顔料を分散した材料をパターンニングし、赤・緑・青それぞれのカラーフィルター９Ｒ・９Ｇ・９Ｂを形成する。赤のカラーフィルター９Ｒには６４０ｎｍ波長光に透過率のピークがあるものを、緑のカラーフィルター９Ｇには５４０ｎｍ波長光に透過率のピークがあるものを、青のカラーフィルター９Ｂには４３０ｎｍ波長光に透過率ピークがあるものを使用した。これは光源として用いる蛍光管のピークと合わせ光の利用効率を高めるためである。光源やホワイトバランスなどを考慮しそれぞれのピーク波長は変更してもよい。例えば人間が青と判定する光の波長範囲は３８０ｎｍから４８８ｎｍといわれ、この範囲で青の設定を行えばよい。
【００４８】
次にポリイミドベースの透明ポリマーをスピンコーティング後加熱硬化することによりオーバーコート１３を形成する。オーバコート１３はカラーフィルターの凹凸を平坦化し液晶の配向性をよくするのが目的である。
【００４９】
次にＩＴＯ(Indium-Tin-Oxide)膜をスパッタにより成膜し、パターンニングすることにより共通電極１０を形成する。次にポリイミドを５０ｎｍ程度の厚さに印刷法にて塗布し加熱硬化することにより液晶配向層１５を形成する。
【００５０】
基板２上に、基板１と同様にＩＴＯ膜を成膜後パターンニングすることにより画素電極７Ｒ・７Ｇ、７Ｂを形成する。次にポリイミドを５０ｎｍ程度の厚さに印刷法にて塗布し加熱硬化することにより液晶配向層１６を形成した後、液晶配向層１６にラビング処理を施す。
【００５１】
続いて、ギャップに応じた径を有するポリマービーズを全面に散布し、両基板をラビング処理の方向が同じ方向になるよう重ね、張り合わせた後、基板間にネマティック液晶を注入する。
【００５２】
次に、基板１，２をハイブリッド配列した負の複屈折性を有する二軸性の位相補償板４，５で挟む。
【００５３】
位相補償板４の上層にポリカーボネートからなる一軸性の波長依存補償板１５０を複屈折率の長軸が液晶の配向方向と同一になるよう貼り付ける。ここで波長依存補償板は位相補償板上にあるが、位相補償板の下層でもよいし、基板２側の位相補償板５の上層または下層でもよい。また、基板１，２の内側に液晶性ポリマーなどで作製してもよい。
【００５４】
次に、波長依存補償板１５０と位相補償板５の上層に偏光板１１，１２を張り付けた。
【００５５】
図２は、本発明の実施の形態の液晶表示装置の液晶、位相補償板、偏光板および波長依存補償板の軸方向を示す平面図である。図中、符号１０１，１０２は液晶の配向方向であり、２０１，２０２は位相補償板の複屈折性の傾斜方向を示し、符号４００は波長依存補償板の複屈折率の長軸方向を示す。偏光板の偏光軸は光の透過率が大きくなるようにするために、一方の偏光軸を液晶配向方向と４５°の角度をなす方向（図２の３０１液晶配向方向と４５°の偏光板の偏光軸方向を参照）に設置され、もう一方はそれと直交する方向（図２の３０２偏光板の偏光軸方向を参照）に設置されている。このようにして液晶表示装置を製造した。
【００５６】
次に、上記の本発明の実施の形態の液晶表示装置の動作について図１を参照して説明する。ＯＣＢモードはＴＮモードと異なり液晶の配向状態と電気光学特性とが密接に関わるため、まず液晶の配向状態について説明する。
【００５７】
各画素電極と共通電極１０の間に電圧を印加することにより、液晶分子はその分子軸の方向（ダイレクタ）を変化させる。上記の様に作製した液晶層３の場合、液晶の配向状態は上記のように、スプレイ，ツイスト，ベンドの３つ（図５参照）がある。印加する電圧の大きさにより各配向状態の状態エネルギーは変化し、液晶層３はより状態エネルギーの低い方に状態を保とうとする。
【００５８】
図６に各状態エネルギーの計算値を示す。図６に示すように、印加電圧が２Ｖ以上でベンド配向状態の状態エネルギーが他の状態よりも低くなり一番安定な状態となる。ＯＣＢモードは、液晶層がベンド配向状態であることが必要なので、２Ｖ以上の電圧領域で使用可能となる。
【００５９】
次に本実施の形態のＯＣＢモードの液晶表示装置の電気光学特性について説明する。ＯＣＢは、複屈折性を制御することにより表示を行う液晶モードである。ある電圧を印加し、液晶のダイレクタを変化させて得られた液晶層のリタデーションＲｌｃと位相補償板のリタデーションＲｒｆの２つのリタデーションを総合したＯＣＢ全体のリタデーションをＲとしたとき、Ｒは上記の式（１）で表され、また透過光強度Ｉは上記の式（２）で表される。
【００６０】
リタデーションは、印加電圧によって図１７の波長依存特性を示す。これに対しハイブリット配列負複屈折性位相補償板（１枚）は、図１８のようなリタデーション波長依存特性を示す。また、トリアセチルセルロースからなる波長特性補償板のリタデーションは図１９のような波長依存特性を示す。
【００６１】
本発明の実施の形態におけるＯＣＢ全体のリタデーションは図２０となり、図１１の従来のＯＣＢモード液晶表示装置のリタデーションの波長に対する変化よりも小さくなることがわかる。この場合、１０Ｖで輝度が最小となり黒表示となるが、このときの輝度はＴＮにハイブリット配列の負複屈折性位相補償板を組み合わせた液晶表示装置とほぼ同等となりコントラスト比が高くなり、印加電圧が７Ｖの時に輝度透過率がもっとも小さくなる。この時の輝度透過率は、ＴＮとほぼ同等であり、コントラスト比が高くなる。印加電圧が高くなっているが、誘電率異方性の大きい液晶を用いることによって印加電圧は低くすることができる。
【００６２】
また、本発明の実施の形態では図１１のように、波長に対しリタデーションが大きくなるような特性の液晶表示装置に、図１９のように波長に対しリタデーションが小さくなるような特性のポリカーボネートからなる波長依存補償板を用い、液晶表示装置と複屈折率の長軸を同一にして、補正を行ったが、例えば図２１のように波長に対しリタデーションが大きくなるような特性の波長依存補償板、例えばトリアセチルセルロースを複屈折率の長軸が直交になるようにして補償を行ってもよい。また、図２２のように、波長に対しリタデーションが小さくなるような特性の液晶表示装置に、図２１のように波長に対しリタデーションが大きくなるような特性の波長依存補償板を用い、液晶表示装置と複屈折率の長軸を同一にして、補償してもよいし、図１９のように波長に対しリタデーションが小さくなるような特性の波長依存補償板を用い複屈折率の長軸が直交になるようにして補償してもよい。
【００６３】
このようにして本発明では、コントラスト比が高い液晶表示装置が作製できる。
【図面の簡単な説明】
【００６４】
【図１】本発明の実施の形態の液晶表示装置の構成を示す断面図である。
【図２】本発明の実施の形態の液晶表示装置の液晶、位相補償板、偏光板および波長依存補償板の軸方向を示す平面図である。
【図３】従来のＯＣＢモードの液晶表示装置の液晶層、位相補償板及び偏光板の軸方向を示す平面図である。
【図４】ハイブリッド配列をした負の複屈折性を有する位相補償板を上下２枚用いたＯＣＢモードの構成を示す断面図である。
【図５】ネマテイック液晶における基本的なダイレクタ配列を示す模式図である。
【図６】液晶の印加電圧と配向状態のエネルギーの関係を示す図である。
【図７】従来のＯＣＢモードの黒表示状態の液晶層と位相補償板の複屈折性を示す模式的断面図である。
【図８】液晶層の複屈折性と位相補償板の複屈折性を示す模式図で、（１）は正面から見た場合、（２）は斜め方向から見た場合の模式図である。
【図９】ベンド配列液晶セル印加電圧によるリタデーションの波長依存特性を示す図である。
【図１０】ハイブリット配列負複屈折性位相補償板のリタデーションの波長依存特性を示す図である。
【図１１】従来のハイブリット配列負複屈折性位相補償板を付加したＯＣＢモード液晶表示装置全体のリタデーションの波長依存特性を示す図である。
【図１２】ＴＮモードの場合の黒表示状態の液晶層と位相補償板の複屈折性を示す模式図である。
【図１３】ＴＮモードの場合の液晶、位相補償板及び偏光板の軸方向を示す平面図である。
【図１４】ＴＮモードの場合の正面から観察した場合の複屈折性を示す模式図である。
【図１５】従来のＯＣＢモード液晶表示装置の複屈折性を示す模式図である。
【図１６】パラレル配列セルに位相補償板を組み合わせた方式の液晶層と位相補償板の複屈折性を示す模式図である。
【図１７】本発明の実施の形態の液晶表示装置のハイブリット配列負複屈折性位相補償板と波長特性補償板を付加する前のリタデーションの印加電圧および波長依存特性を示す図である。
【図１８】本発明の実施の形態の液晶表示装置に使用されるハイブリット配列負複屈折性位相補償板のリタデーション波長依存特性を示す図である。
【図１９】本発明の実施の形態の液晶表示装置に使用される波長依存補償板の波長に対するリタデーション特性を示す図である。
【図２０】本発明の実施の形態の液晶表示装置全体のリタデーション特性を示す図である。
【図２１】本発明の実施の形態の液晶表示装置に使用される波長依存補償板の波長に対するリタデーション特性を示す図である。
【図２２】波長依存補償板を付加する前の液晶表示装置の波長に対するリタデーション特性を示す図である。
【符号の説明】
【００６５】
１，２    基板
３    液晶層
４，５    位相補償板
７Ｒ    赤色用画素電極
７Ｇ    緑色用画素電極
７Ｂ    青色用画素電極
９Ｒ    赤のカラーフィルター
９Ｇ    緑のカラーフィルター
９Ｂ    青のカラーフィルター
１０    共通電極
１１，１２    偏光板
１３    オーバーコート
１５，１６    液晶配向層
１５０    波長依存補償板
【図１】
0003716267.tif 000005
【図２】
0003716267.tif 000006
【図３】
0003716267.tif 000007
【図４】
0003716267.tif 000008
【図５】
0003716267.tif 000009
【図６】
0003716267.tif 000010
【図７】
0003716267.tif 000011
【図８】
0003716267.tif 000012
【図９】
0003716267.tif 000013
【図１０】
0003716267.tif 000014
【図１１】
0003716267.tif 000015
【図１２】
0003716267.tif 000016
【図１３】
0003716267.tif 000017
【図１４】
0003716267.tif 000018
【図１５】
0003716267.tif 000019
【図１６】
0003716267.tif 000020
【図１７】
0003716267.tif 000021
【図１８】
0003716267.tif 000022
【図１９】
0003716267.tif 000023
【図２０】
0003716267.tif 000024
【図２１】
0003716267.tif 000025
【図２２】
0003716267.tif 000026